(57)【要約】【課題】  市販されている携帯電話機を利用し、緊急事態の発生時等に威嚇および通報を同時に行うことができる携帯用緊急通信装置を提供する。【解決手段】  携帯電話機と組み合わせて使用することにより、該携帯電話機の通信回線を介して自動的に通報する携帯用緊急通信装置である。通報操作を検出する検出手段と、前記検出手段の検出信号に基づいて警報音を発生する警報音発生手段と、同じく前記検出手段の検出信号に基づいて、ダイヤル情報を格納する記憶手段に記憶された通報先のダイヤル情報を生成するダイヤル情報生成手段と、生成されたダイヤル情報に基づいて通報先に通報する前記携帯電話機との接続手段とを具備する。【選択図】        図３
2006285877.tif 000002
【特許請求の範囲】
【請求項１】
携帯電話機と組み合わせて使用することにより、該携帯電話機の通信回線を介して自動的に通報する携帯用緊急通信装置であって、通報操作を検出する検出手段と、前記検出手段の検出信号に基づいて警報音を発生する警報音発生手段と、同じく前記検出手段の検出信号に基づいて、ダイヤル情報を格納する記憶手段に記憶された通報先のダイヤル情報を生成するダイヤル情報生成手段と、生成されたダイヤル情報に基づいて通報先に通報する前記携帯電話機との接続手段と、を具備することを特徴とする携帯用緊急通信装置。
【請求項２】
携帯電話機と組み合わせて使用することにより、該携帯電話機の通信回線を介して自動的に通報する携帯用緊急通信装置であって、通報操作を検出する検出手段と、前記検出手段の検出信号に基づいて警報音を発生する警報音発生手段と、同じく前記検出手段の検出信号に基づいて、接続された前記携帯電話機に記憶された通報先のダイヤル情報を生成するダイヤル情報生成手段と、生成されたダイヤル情報に基づいて通報先に通報する前記携帯電話機との接続手段と、を具備することを特徴とする携帯用緊急通信装置。
【請求項３】
前記検出手段が、スイッチ受け口および該スイッチ受け口に挿入された挿入物により構成され、該挿入物を引き抜く操作を検出する請求項1または2記載の携帯用緊急通信装置。
【請求項４】
前記警報音発生手段を制御する警報音制御手段を具備する請求項1〜3のうちいずれか一項記載の携帯用緊急通信装置。
【請求項５】
前記携帯電話機との接続が、該携帯電話機のイヤホンジャックに対して行われる請求項1〜4のうちいずれか一項記載の携帯用緊急通信装置。
【請求項６】
携帯電話機と組み合わせて使用する携帯警報装置であって
スイッチ手段と受け口と該受け口に挿入された挿入物を備え該挿入部を引き抜く操作が行われたとき前記スイッチ手段が作動するように構成された通報操作検出手段と、前記携帯電話機に接続する接続手段と、警報音を発生する警報音発生手段と、制御手段と、を具備し、
前記制御手段は、前記通報操作検出手段に対する前記挿入物を引き抜く操作に応答して、接続された前記携帯電話機に対し前記携帯電話機に記憶された通報先のダイヤル情報の生成を開始させる信号を送出するように構成されており、
前記通報操作検出手段に対する前記挿入物を引き抜く操作が検出されたとき、該操作に応答して前記警報音発生手段から警報音を発生するとともに、前記制御手段からの信号に基づき前記携帯電話機が前記通報先への回線接続を行うように構成されてなることを特徴とする携帯警報装置。
【請求項７】
携帯電話機と組み合わせて使用する携帯用警報装置であって、
スイッチ手段を含む警報作動開始手段と、警報音発生手段と、前記携帯電話機のイヤホンマイク端子部に着脱可能に接続される接続手段と、制御手段と、を具備し、
前記スイッチ手段は、前記警報作動開始手段が待機状態のとき前記接続手段に接続された前記携帯電話機のスピーカおよびマイクロホンを使用可能状態に保持するように、前記接続手段に接続されており、
前記制御手段は、前記警報作動開始手段が使用者により作動されたとき、前記携帯電話機に対し回線接続を開始させる信号を前記接続手段を介して送出するように構成されており、
前記警報作動開始手段が使用者により作動されたとき、前記警報発生手段から警報音を発生するとともに前記携帯電話が前記制御手段からの信号に応答して予め設定された通報先への回線接続を開始するように構成されてなる携帯用警報装置。
【請求項８】
携帯電話機と組み合わせて使用する携帯用警報装置であって、
スイッチ手段を含む警報作動開始手段と、警報音発生手段と、前記携帯電話機のイヤホンマイク端子部に着脱可能に接続される接続手段と、制御手段と、電源とを具備し、
前記接続手段は、少なくとも第１乃至第３の端子を有し、
前記スイッチ手段は、前記警報作動開始手段が待機状態のとき前記接続手段の第1端子と第２端子の間を非接続状態に保持し、前記警報作動開始手段が使用者により作動されたとき前記接続手段の前記第１端子と第２端子の間を接続状態にするように、前記接続手段に接続されており、
前記スイッチ手段は、さらに、前記警報作動開始手段が待機状態のとき前記電源を前記警報音発生手段と前記制御手段に対し非接続状態に保持し、前記警報作動開始手段が使用者により作動されたとき、前記電源が前記警報発生手段及び前記制御手段に対し接続状態になるように、前記電源、警報発生手段及び前記制御手段にそれぞれ接続されており、
前記制御手段は、前記接続手段の第３端子に接続されており、前記警報作動開始手段が使用者により作動されたとき前記第３端子の電位が第１電位から第２電位に変化し所定時間後に第１電位に戻る信号を前記携帯電話に送出するように構成されており、
前記警報作動開始手段が使用者により作動されたとき、前記警報発生手段から警報音を発生するとともに前記携帯電話機が前記制御手段からの信号に応答して予め設定された通報先への回線接続を開始するように構成されてなる携帯用警報装置。
【請求項９】
前記警報作動開始手段が待機状態のとき、前記第３端子は接続されている携帯電話機の端子電位にプルアップされて前記第１電位に保持されている請求項８記載の携帯用警報装置。
【請求項１０】
前記所定時間は２乃至３秒である請求項８または９記載の携帯用警報装置。
【請求項１１】
前記接続手段はさらに前記警報発生手段に接続された第４端子を有し、前記警報作動開始手段が使用者により作動されたとき、前記警報発生手段で生成された警報音データを前記携帯電話に送出し、前記携帯電話から前記所定通報先に警報音を送出するように構成されてなる請求項８乃至１０のいずれか記載の携帯用警報装置。
【請求項１２】
前記警報作動開始手段はさらに受け口と該受け口に着脱可能に装着された挿入部材を備え、該挿入部材が引き抜かれたとき、前記警報発生手段から警報音を発生するとともに前記携帯電話が前記制御手段からの信号に応答して予め設定された通報先への回線接続を開始するように構成されてなる請求項７乃至１１のいずれか記載の携帯用警報装置。
【請求項１３】
前記スイッチ手段は第1乃至第4の端子を備え、その第1端子は前記第２電位に接続され、その第２端子は前記接続手段の第２端子に接続され、その第３端子は前記電源に接続され、その第４端子は前記警報発生手段および前記制御手段に接続されており、前記警報作動開始手段はさらに受け口と該受け口に着脱可能に装着された挿入部材を備え、該挿入部材が挿入されているときは、前記スイッチ手段の第１端子と第２端子の間および第３端子と第４端子の間はそれぞれ非接続状態に保持されており、該挿入部材が引き抜かれたとき前記スイッチ手段の第１端子と第２端子の間および第３端子と第４端子の間がそれぞれ接続状態となる請求項８乃至１１のいずれか記載の携帯用警報装置。
【請求項１４】
前記第１電位は接地電位である請求項８乃至１１及び１３のいずれか記載の携帯用警報装置。
【発明の詳細な説明】
【技術分野】
【０００１】
本発明は携帯用緊急通信装置に関し、詳しくは警報音の発生および携帯電話機の通信回線を介した通信（通報）を同時に行うことができる携帯用緊急通信装置に関する。
【背景技術】
【０００２】
近年、ひったくり、痴漢、ストーカー、誘拐等の事件が数多く発生している。その被害を防止するために、現在までに様々な種類の防犯具、防犯装置が提案されている。現在までに提案されている携帯用の防犯具、防犯装置として、催涙スプレー、音や光等を発する警報装置、携帯電話機を利用し、遠隔地にいる場合でも通報先へ通報できる緊急通報装置（特許文献1参照）などがある。その他、特許文献2には、携帯電話機から大音量の警告音を出力することにより相手を威嚇し、かつ現在位置情報を含む情報の自動通報を行うことができる緊急警報ボタンが付加された携帯電話機を利用した緊急時対応システムが開示されている。
【特許文献１】特開2000−155888号公報
【特許文献２】特開2002−185385号公報
【発明の開示】
【発明が解決しようとする課題】
【０００３】
しかしながら、催涙スプレー、音や光等を発する警報装置では、威嚇および警報を行うことは可能であるが、助けを求める相手が周囲にいない場合には、防犯機能として必ずしも功を奏するものとは言えない。また、特許文献1に記載の携帯電話機を利用し、遠隔地にいる場合でも通報先へ通報できる緊急通報装置は、緊急事態の発生時にダイヤルキーによる番号入力操作を省き通報を行うことが可能となるが、威嚇および警報を行うことができず、緊急事態の発生現場において確実には身を守ることができない。特許文献2記載の緊急時対応システムは、通報を行うことができ、かつ緊急事態の発生現場においても防犯効果を発揮し得るが、携帯電話機と一体となっているため高価となり、また、現在市販されている携帯電話機を利用できるものではなかった。
【０００４】
そこで本発明の目的は、市販されている携帯電話機を利用し、緊急事態の発生時等に威嚇および通報を同時に行うことができる携帯用緊急通信装置を提供することにある。
【課題を解決するための手段】
【０００５】
本発明者は、上記課題を解決すべく鋭意研究努力し、携帯電話機との接続部と、警報音の発生および携帯電話機による通報を一動作により作動するスイッチとを携帯用通信装置に具備させることにより、上記目的を達成し得ることを見出し、本発明を完成するに至った。
【０００６】
即ち、発明の携帯用緊急通信装置は、携帯電話機と組み合わせて使用することにより、該携帯電話機の通信回線を介して自動的に通報する携帯用緊急通信装置であって、通報操作を検出する検出手段と、前記検出手段の検出信号に基づいて警報音を発生する警報音発生手段と、同じく前記検出手段の検出信号に基づいて、ダイヤル情報を格納する記憶手段に記憶された通報先のダイヤル情報を生成するダイヤル情報生成手段と、生成されたダイヤル情報に基づいて通報先に通報する前記携帯電話機との接続手段と、を具備することを特徴とするものである。
【０００７】
また、発明の携帯用緊急通信装置は、携帯電話機と組み合わせて使用することにより、該携帯電話機の通信回線を介して自動的に通報する携帯用緊急通信装置であって、通報操作を検出する検出手段と、前記検出手段の検出信号に基づいて警報音を発生する警報音発生手段と、同じく前記検出手段の検出信号に基づいて、接続された前記携帯電話機に記憶された通報先のダイヤル情報を生成するダイヤル情報生成手段と、生成されたダイヤル情報に基づいて通報先に通報する前記携帯電話機との接続手段と、を具備することを特徴とするものである。
【０００８】
更に、上記発明に係る携帯用緊急通信装置は、好ましくは、検出手段が、スイッチ受け口および該スイッチ受け口に挿入された挿入物により構成され、該挿入物を引き抜く操作を検出するものであり、更にまた、警報音発生手段を制御する警報音制御手段を具備することも好ましい。なお、携帯電話機との接続が、該携帯電話機のイヤホンジャックに対して行われるものも好適に使用することができる。
【０００９】
さらに本発明に係る携帯警報装置は、携帯電話機と組み合わせて使用され、スイッチ手段と受け口と該受け口に挿入された挿入物を備え該挿入部を引き抜く操作が行われたとき前記スイッチ手段が作動するように構成された通報操作検出手段と、前記携帯電話機に接続する接続手段と、警報音を発生する警報音発生手段と、制御手段と、を具備し、前記制御手段は、前記通報操作検出手段に対する前記挿入物を引き抜く操作に応答して、接続された前記携帯電話機に対し前記携帯電話機に記憶された通報先のダイヤル情報の生成を開始させる信号を送出するように構成されており、前記通報操作検出手段に対する前記挿入物を引き抜く操作が検出されたとき、該操作に応答して前記警報音発生手段から警報音を発生するとともに、前記制御手段からの信号に基づき前記携帯電話機が前記通報先への回線接続を行うように構成されてなることを特徴とする。
【００１０】
さらに、本発明に係わる携帯用警報装置は、携帯電話機と組み合わせて使用され、スイッチ手段を含む警報作動開始手段と、警報音発生手段と、前記携帯電話機のイヤホンマイク端子部に着脱可能に接続される接続手段と、制御手段と、を具備し、前記スイッチ手段は、前記警報作動開始手段が待機状態のとき前記接続手段に接続された前記携帯電話機のスピーカおよびマイクロホンを使用可能状態に保持するように、前記接続手段に接続されており、前記制御手段は、前記警報作動開始手段が使用者により作動されたとき、前記携帯電話機に対し回線接続を開始させる信号を前記接続手段を介して送出するように構成されており、前記警報作動開始手段が使用者により作動されたとき、前記警報発生手段から警報音を発生するとともに前記携帯電話が前記制御手段からの信号に応答して予め設定された通報先への回線接続を開始するように構成されていることを特徴する。
【００１１】
さらに、本発明に係わる携帯用警報装置は、携帯電話機と組み合わせて使用され、スイッチ手段を含む警報作動開始手段と、警報音発生手段と、前記携帯電話機のイヤホンマイク端子部に着脱可能に接続される接続手段と、制御手段と、電源とを具備し、前記接続手段は、少なくとも第１乃至第３の端子を有し、前記スイッチ手段は、前記警報作動開始手段が待機状態のとき前記接続手段の第1端子と第２端子の間を非接続状態に保持し、前記警報作動開始手段が使用者により作動されたとき前記接続手段の前記第１端子と第２端子の間を接続状態にするように、前記接続手段に接続されており、前記スイッチ手段は、さらに、前記警報作動開始手段が待機状態のとき前記電源を前記警報音発生手段と前記制御手段に対し非接続状態に保持し、前記警報作動開始手段が使用者により作動されたとき、前記電源が前記警報発生手段及び前記制御手段に対し接続状態になるように、前記電源、警報発生手段及び前記制御手段にそれぞれ接続されており、前記制御手段は、前記接続手段の第３端子に接続されており、前記警報作動開始手段が使用者により作動されたとき前記第３端子の電位が第１電位から第２電位に変化し所定時間後に第１電位に戻る信号を前記携帯電話に送出するように構成されており、前記警報作動開始手段が使用者により作動されたとき、前記警報発生手段から警報音を発生するとともに前記携帯電話機が前記制御手段からの信号に応答して予め設定された通報先への回線接続を開始するように構成されていることを特徴とする。
【００１２】
前記携帯用警報装置において、前記警報作動開始手段が待機状態のとき、前記第３端子は接続されている携帯電話機の端子電位にプルアップされて前記第１電位に保持されるように構成することができる。さらに前記所定時間は２乃至３秒となるように構成することができる。
【００１３】
前記携帯用警報装置において、前記接続手段はさらに前記警報発生手段に接続された第４端子を有し、前記警報作動開始手段が使用者により作動されたとき、前記警報発生手段で生成された警報音データを前記携帯電話に送出し、前記携帯電話から前記所定通報先に警報音を送出するように構成することができる。
【００１４】
さらに、前記携帯用警報装置において、前記警報作動開始手段はさらに受け口と該受け口に着脱可能に装着された挿入部材を備え、該挿入部材が引き抜かれたとき、前記警報発生手段から警報音を発生するとともに前記携帯電話が前記制御手段からの信号に応答して予め設定された通報先への回線接続を開始するように構成することができる。
【００１５】
さらに、前記携帯用警報装置において、前記スイッチ手段は第1乃至第4の端子を備え、その第1端子は前記第２電位に接続され、その第２端子は前記接続手段の第２端子に接続され、その第３端子は前記電源に接続され、その第４端子は前記警報発生手段および前記制御手段に接続されており、前記警報作動開始手段はさらに受け口と該受け口に着脱可能に装着された挿入部材を備え、該挿入部材が挿入されているときは、前記スイッチ手段の第１端子と第２端子の間および第３端子と第４端子の間はそれぞれ非接続状態に保持されており、該挿入部材が引き抜かれたとき前記スイッチ手段の第１端子と第２端子の間および第３端子と第４端子の間がそれぞれ接続状態となるように構成することができる。
【００１６】
さらに、前記携帯用警報装置において、前記第２電位を接地電位とすることができる。
【発明の効果】
【００１７】
本発明の携帯用緊急通信装置は、緊急事態の発生時に、一動作にて警報ブザーが鳴り、かつ指定した通報先に通報することができるため、確実に威嚇および通報が可能となる。また、通報を行う携帯電話機に対し着脱可能に構成されているため、携帯電話機との接続部を変更することにより、市販の様々な機種の携帯電話機に接続して利用することができる。更に、老人の徘徊や子供の迷子等の、犯罪とは異なり緊急を要さない連絡を目的として使用する場合には、携帯電話機を常に携帯しなくとも、本発明の携帯用緊急通報装置を単独で携帯し、迷子等の発見者の携帯電話機を使用することにより、ダイヤル入力を行うことなく通報が可能となる。
【発明を実施するための最良の形態】
【００１８】
以下、本発明の携帯用緊急通信装置（以下、「通信装置」ともいう）の一実施形態について具体的に説明する。
【００１９】
本発明に係る通信装置の第一実施形態の構成を示すブロック図を図１に、また、本発明の通信装置を構成する主要部品の配置位置を図２に夫々、例示する。なお、図２（a）は本発明の通信装置を正面からみた模式図であり、（b）は側面から見た模式図である。図１および図２に示すように、通信装置１は携帯電話機との接続部２、CPU（Central processing unit）３、メモリー４、バッテリー５、アンプ６、警報ブザー７およびスイッチ８を主要部品として構成されている。
【００２０】
スイッチ８により発生する検出信号に基づき、各部の制御を行うCPU３を介して、メモリー４に格納されている通報先のダイヤル情報に基づき通報が行われ、同時に警報ブザー７が作動し、大音量が発せられる。なお、バッテリー５は電力を供給する役割を果たす。また、アンプ６は出力信号を増幅する役割を果たし、増幅された出力信号は警報ブザー７により警報音に変換される。ダイヤル情報が接続部２を介して携帯電話に伝えられることにより通報される。
【００２１】
前記第一の実施態様において、通報先のダイヤル情報として携帯警報機装置内のメモリー４ではなく、接続する携帯電話機本体内のメモリーに収納されている通報先ダイヤル情報を利用する構成とすることができる。
【００２２】
前記第一の実施態様において、接続部２には、携帯電話機と直接接続するコネクタを使用することも可能であるが、図３に例示するように、携帯電話機コネクタ９、本体コネクタジャック１０およびそれらを接続する電線コード１１により、携帯電話機１２と接続することもできる。これらを任意の形状にすることにより、携帯電話機１２に対して任意の位置に通信装置１を配置することが可能となる。携帯電話機コネクタ９、本体コネクタジャック１０およびそれらを接続する電線コード１１を図３に示すように、略「コ字形」にすることが好ましく、これにより、かさばらず、持ち運びに便利な配置をとることができる。なお、通信装置１の接続部2に携帯電話機１２と直接接続するコネクタを用いた場合であっても、通信装置１を下辺が短い略「コ字形」（携帯電話機１２との接続側が短辺）とし、携帯電話機と接続を行っても同様な効果を得ることができる。
【００２３】
また、携帯電話機１２における接続部位は、特に制限されるものではなく、コネクタジャック、イヤホンジャック等に接続することができる。なお、コネクタジャックは携帯電話機の機種により型が異なる場合が多いため、機種による型の違いの少ないイヤホンジャックに接続する通信装置が好ましい。接続端子を調整せずに、イヤホンジャックに接続すると、通報先の音声を聞くことができなくなるが、適宜、常法に従い、端子を調整することにより通報先の音声を聞くことができる。
【００２４】
また、通報および警報ブザー７の作動を行うスイッチ８の形態は特に制限されるものではなく、好ましくは緊急事態の発生時に即座に対応できるものである。例えば、押ボタン式のスイッチ、あるいは金具等のスイッチ棒（挿入物）をスイッチ部（スイッチ受け口）に接続しておき、スイッチ棒をスイッチ部より引き抜くことで作動する等のスイッチを好適に使用することができる。後者を用い、家あるいは車等のドアを開くとスイッチ棒が抜けるようにドアとスイッチ棒を連結させることにより、家庭用防犯、車用防犯を目的として使用することも可能となる。その他、糸とスイッチ棒を連結させ、侵入者が糸にふれるとスイッチ棒が抜けるような構成をとることにより、果樹園、畑等の屋外防犯を目的として使用することも可能となる等、使用用途は多岐に渡る。
【００２５】
上記第一実施態様に係る通信装置において、メモリー４へのダイヤル情報の入力方法は特に制限されるものではないが、ダイヤル情報が未入力の状態で、通信装置１を接続部８により通報先である携帯電話機と接続することにより番号を記憶し、メモリーに通報先が入力された状態で携帯電話機と接続することにより、通報が可能となることが好ましい。また、通報先のダイヤル情報を消去するスイッチ（図示せず）を具備することも好ましい。
【００２６】
次に本発明に係る携帯警報装置の第二の実施態様を、図４及び図５を参照して説明する。図４は、携帯警報装置１の概念を説明する回路図であり、図５はその詳細を説明する回路図である。
【００２７】
図４（ａ）において、５はボタン電池等の電源部である。６はアンプ、７は圧電ブザーである。アンプ６は圧電ブザー７にパルス電圧を印加して圧電ブザー７を作動させる。８はスイッチ、１４は操作部材（挿入棒）で、挿入棒１４は携帯警報装置１の筐体（ハウジング）に設けられた受け口（図示せず）に着脱可能に挿入されており、スイッチ８をＯＦＦ状態に維持している。スイッチ８および挿入棒１４によって警報作動開始手段が構成されている。
【００２８】
スイッチ８の端子(1)は装置１の信号中立電位（接地電位）に、端子(2)は電線２２を介して接続コネクタ９の端子P3に、端子(3)はボタン電池等の電源（６Ｖ）に、端子(4)は制御手段１３および圧電ブザー７を作動させる警報発生手段６に、それぞれ接続されている。携帯警報装置１が待機状態のとき（挿入棒が受け口に挿入されているとき）、スイッチ８において端子(1)と端子(2)との間および端子(3)と端子(4)の間は非接続状態に保持されている。接続コネクタの端子P1は信号中立電位に接続されている。
【００２９】
１３は制御手段（図５で詳細説明される）で電線２１を介して接続コネクタ９の端子P8に接続されており、警報作動開始手段が利用者の操作により作動したとき、制御手段１３が作動し、図４（ｂ）に図示するように端子P8の電位が、VHからVLに立ち下がり、所定時間、好ましくは２秒以上３秒以内の時間VLに保持され、その後再びVHに変化する。
【００３０】
第二実施態様において、接続コネクタ（プラグ）を携帯電話機の「イヤホンマイク端子」（イヤホンマイクジャック）に接続して使用される場合を説明する。「イヤホンマイク端子」は標準的にP1からP8までの８端子を有しており、典型的にはイヤホンおよびマイクが接続されたプラグを接続して使用するオプション端子である。P1は携帯電話機の信号中立電位に接続されている。P8には回線接続を起動する信号が印加され、P2は音声信号が印加される。イヤホンマイクプラグが接続されているとき、P1およびP3の間はイヤホンマイクプラグ内に設けられた短絡配線により電気的に短絡されており、携帯電話機内蔵のスピーカおよびマイクが動作は一時的に停止状態となっている。本第二実施態様の接続コネクタ９は、「イヤホンマイク端子」の端子P1, P2, P3およびP8に接続される端子P1, P2, P3およびP4を備えている。
【００３１】
本発明による携帯警報装置１の接続コネクタ９が携帯電話機の「イヤホンマイク端子」に接続されているとき、携帯警報装置１が待機状態のときは「イヤホンマイク端子」の端子P1とP3の間は非接続状態になっているので、携帯電話機内蔵のマイクとスピーカは使用可能状態に維持される。警報作動開始手段の挿入棒１４が利用者により引き抜かれると、スイッチ８の端子(1)と端子(2)の間が接続状態となり、電線２２、２３を介して接続コネクタ９の端子P1とP3の間は接続され短絡状態となる。同時にスイッチ８の端子(3)と端子(4)の間が接続状態となり、電源５が警報発生手段６と制御手段１３に接続され、圧電ブザーが作動して大きな警告音を発生するとともに制御手段１３が起動して図４（ｂ）に図示される電位変化が端子P8を介して伝送され、これに応答して携帯電話機が予め設定された通報先のダイヤル情報を生成し回線接続動作を開始する。通報先の電話機に回線接続され受受信側が電話機をとると、警報発生手段６で生成された警報音データが端子P2を介して携帯電話から通報先に送出される。
【００３２】
図５は、第二実施態様における警報発生手段６および制御手段１３の具体的回路例を示す図である。図５においてICは標準的なオペアンプでトランジスタQ1とトランスT1と連携して圧電ブザーを駆動する高圧パルスを生成する。電源５はボタン電池等で6Vを供給する。ツェナーダイオードZD1はICに供給される電圧を3.3Vに抑制する。
【００３３】
制御回路１３は、トランジスタＱ３、Q4、ダイオードD2、抵抗R6、R7、コンデンサC6、C7 により構成される。携帯警報装置１が待機状態のときは、トランジスタQ３はOFF状態にあるため、接続コネクタの端子P8は、接続された携帯電話機の端子P8に同電話機内の電源から印加されている電位VHにプルアップされている。
【００３４】
操作棒１４が引き抜かれ携帯警報装置１が作動状態になったとき、スイッチの端子(3)と端子(4)が接続状態になり電源５の電圧が配線１６を通してトランジスタQ3のベースに電圧が印加されるためトランジスタQ3はON状態となりON状態のトランジスタQ3を介してラインの電圧が接地電位に接続されVLに低下する。その後抵抗R6、R7を介して電源からキャパシタC7、C6に電流が供給され電荷が蓄積されるに従い徐々にトランジスタQ4の電位が上昇し所定電位に達したときトランジスタQ4がON状態となりトランジスタQ3のベース電位が低下しトランジスタQ3は再びOFF状態に戻る。結果として、図４（ｂ）に図示した電位変化が接続コネクタ９を介して携帯電話機に伝達される。あるタイプの携帯電話機では、端子P8に供給される電位がVLになったときにダイヤル情報を生成し回線接続を開始するが、他のタイプの携帯電話機では端子P8に供給される電位がVLからVHに戻ったときにダイヤル情報を生成し回線接続を開始するものもある。携帯警報装置１を接続する携帯電話機によって端子P8に供給される電位をVLに維持する時間は異なるが本発明者の試作結果によると２秒以上３秒以下にすることで現存する携帯電話機に対応できることを確認した。VLに維持する時間は抵抗R6、R7およびキャパシタC7、C6の値を調整することにより変更できる。
【００３５】
本発明に係る携帯警報装置の他の外形例を図６に示す。本発明に係る携帯警報装置の本体部分を直径2.5cm程度の球形体ハウジングとし、該球形体内部に、制御手段１３、バッテリー５、警報発生手段６、圧電ブザー７、スイッチ８を内蔵する。スイッチ８は受口と該受口に挿脱可能に挿入されたスイッチ棒１４を備えスイッチ棒１４が引き抜かれたときスイッチ８が作動する構成となっている。携帯警報装置１はコード１１及び接続部９を介して携帯電話機１２に接続される。スイッチ棒１４の先端にはストラップ１５が取りつけられている。使用者が球形体部分１を持ち、ストラップ１５を持って引くとスイッチ棒１４が抜け出て携帯警報装置１が作動する。
【００３６】
本発明の通信装蓮は、ひったくり、痴漢、ストーカー、誘拐等の緊急事態の発生時に、一動作にて警報ブザーが鳴り、かつ指定した通報先に通報することにより、威嚇および通報を同時に行うことができるものである。しかし、本発明の通信装置は必ずしも威嚇および通報を同時に行う用途に限定されず、老人の徘徊や子供の迷子等の威嚇を目的としない場合にも好適に使用することができる。その場合、威嚇のために使用する警報ブザー7によるブザー音の発生を制御する手段を具備することが好ましい。例えば、警報ブザー7に伝わる信号を遮断するスイッチ（図示せず）を具備すること等を挙げることができる。
【産業上の利用可能性】
【００３７】
本発明の携帯用緊急通信装置は、犯罪等の緊急事態の発生時に、−動作にて警報音による威嚇および通報を同時に行うことができ、また、老人の徘徊や子供の迷子等の通報にも効果的に使用することができる。更に、家庭用防犯、車用防犯、屋外防犯等、種々の用途に使用することができる。
【図面の簡単な説明】
【００３８】
【図１】本発明の携帯用緊急通信装置の第一実施形態の構成を示すブロック図である。
【図２】本発明の携帯用緊急通信装置の第一実施形態を示す模式図である。
【図３】本発明の携帯用緊急通信装置と携帯電話機とを接続した際の模式的側面図である。
【図４】本発明の携帯警報装置の第二実施形態の構成を示すブロック図である。
【図５】本発明の携帯警報装置の第二実施形態の構成を示す回路図である。
【図６】本発明の携帯警報装置と携帯電話機とを接続した際の他の模式的図である。
【符号の説明】
【００３９】
１  携帯用緊急通信装置（通信装置）
２  接続部
３  C PU（CPUを含む制御手段）
４  メモリー
５  バッテリー
６  アンプ
７  警報ブザー
８  スイッチ
９  携帯電話機コネクタ
１０  本体コネクタジャック
１１  電線コード
１２  携帯電話機
１３  制御手段
１４  操作棒
１５  ストラップ
１６  配線
【図１】
2006285877.tif 000003
【図２】
2006285877.tif 000004
【図３】
2006285877.tif 000005
【図４】
2006285877.tif 000006
【図５】
2006285877.tif 000007
【図６】
2006285877.tif 000008